(57)【要約】【課題】片持ち支持されたワークの両面を樹脂モールドする際に、成形品に金型分割ラインが残らずしかも樹脂の充填バランスがよく成形品質を向上させたモールド金型を提供する。【解決手段】ワークの一端側を起立姿勢で片持ち支持したまま金型をクランプしてポット６に供給されたモールド樹脂１２をキャビティ凹部１０ａに収容されたワークを中心として対向位置から充填させて樹脂モールドされる。【選択図】図８
2015139969.tif 000002
【特許請求の範囲】
【請求項１】
熱硬化性のモールド樹脂が供給されるポット及び前記モールド樹脂を圧送りするプランジャを含むトランスファ機構が設けられ、板状のワークにおける一端側を挟み込んで他端側を起立姿勢で支持する一方の金型と、
前記ワークの他端を収容可能なキャビティ凹部が彫り込まれ、当該キャビティ凹部に前記ワークの両面側から連絡する複数の樹脂路が形成された他方の金型と、を具備し、
前記ワークの一端側を片持ち支持したまま前記一方の金型と前記他方の金型をクランプして前記ポットに供給されたモールド樹脂を前記キャビティ凹部に収容された前記ワークを中心として対向位置から充填させて樹脂モールドされることを特徴とするモールド金型。
【請求項２】
前記一方の金型には、前記ワークにおける一端部を挟み込んで他端側を起立姿勢で支持する治具が、前記キャビティ凹部に対向するクランプ面に組み付けられる請求項１記載のモールド金型。
【請求項３】
前記キャビティ凹部に連絡する樹脂路は前記ワークが収容された前記キャビティ凹部の対向面に形成されている請求項１又は２記載のモールド金型。
【請求項４】
前記他方の金型には、前記キャビティ凹部に起立姿勢で収容された前記ワークの他端を押さえる押さえピンが出没可能に設けられている請求項１乃至請求項３のいずれか１項記載のモールド金型。
【請求項５】
前記押さえピンは、前記キャビティ凹部の底部より突出する向きに押さえピン付勢手段により付勢されており、前記キャビティ凹部にモールド樹脂が充填される際に、前記押さえピン付勢手段の付勢力に抗して前記押さえピンを前記キャビティ凹部の底部と面一に退避させる押さえピン駆動機構を備えている請求項４記載のモールド金型。
【請求項６】
前記押さえピンは、モールド金型が型開きする際に前記押さえピン付勢手段の付勢力により成形品を押圧して前記他方の金型より離型させる請求項４又は５記載のモールド金型。
【請求項７】
前記他方の金型に設けられた前記キャビティ凹部にはエアーを排気若しくは給気するためのエアー給排路が接続され、当該エアー給排路の開口部を開閉する開閉ピンが進退可能に設けられている請求項１乃至請求項６のいずれか１項記載のモールド金型。
【請求項８】
前記開閉ピンは、前記エアー給排路の開口部を開口する退避位置に退避するように開閉ピン付勢手段によって常時付勢されており、前記キャビティ凹部にモールド樹脂が充填される際に、前記開閉ピン付勢手段の付勢力に抗して前記開閉ピンを前記退避位置から前記キャビティ凹部の底部と面一となる突出位置までに突出させて前記開口部を閉止する開閉ピン駆動機構を備えている請求項７記載のモールド金型。
【請求項９】
前記開閉ピンは、型閉じ状態で前記キャビティ凹部にモールド樹脂が充填されるまでは、前記開口部を開口してエアーを排気し続け、型開きする際に前記開口部を開口してエアーを圧入し続ける請求項７又は８記載のモールド金型。
【請求項１０】
前記請求項１乃至請求項９のいずれか１項記載のモールド金型を用いた樹脂モールド方法であって、
板状のワークにおける一端側を挟み込んで他端側を一方の金型に起立姿勢で支持させる工程と、
キャビティ凹部が形成された他方の金型と前記一方の金型をクランプすることで、前記ワークの他端側を前記キャビティ凹部に収容するように型閉じする工程と、
前記モールド金型を型閉じする際に前記キャビティ凹部の開口孔よりエアーを吸引して排気し、モールド樹脂が充填される際に開口孔を閉止する工程と、
前記キャビティ凹部に前記ワークを中心として対向位置からモールド樹脂を圧送りして充填する工程と、
前記モールド樹脂を加熱硬化させて樹脂モールドする工程と、
を含むことを特徴とする樹脂モールド方法。
【請求項１１】
前記モールド金型を型閉じする際に、起立姿勢で保持された前記ワークの他端部を前記キャビティ凹部の底部から突出させた押さえピンで押さえ、前記モールド樹脂が前記キャビティ凹部に充填される際に前記キャビティ凹部の底部と面一になる位置へ退避する工程を含む請求項１０記載の樹脂モールド方法。
【請求項１２】
前記モールド金型を型開きする際に、前記押さえピンを前記キャビティ凹部内に突出させて成形品を前記他方の金型から離型させる工程を含む請求項１０又は１１記載の樹脂モールド方法。
【請求項１３】
前記モールド金型を型開きする際に、前記開口孔を開口させて圧縮空気を送り込んで前記成形品の離型を促進する工程を含む請求項１０乃至請求項１２のいずれか１項記載の樹脂モールド方法。
【請求項１４】
前記ワークを起立姿勢で片持ち支持した治具を、型開きした前記一方の金型に前記キャビティ凹部に対向するクランプ面に組み付ける工程と、
樹脂モールド後に型開きした前記一方の金型より成形品を前記治具とともに取り出す工程と、
前記成形品を前記治具から分離して不要樹脂を除去する工程と、を備える請求項１０乃至請求項１３のいずれか１項記載の樹脂モールド方法。
【発明の詳細な説明】
【技術分野】
【０００１】
本発明は、例えばＥＣＵ基板などのワークが片持ち状にクランプされて樹脂モールドされるモールド金型及びこれを用いた樹脂モールド方法に関する。
【背景技術】
【０００２】
例えば、車両に用いられるＥＣＵ（Electronic Control Unit）分野においては、配線基板上に半導体チップ等の電子部品が搭載され、樹脂モールドされた当該配線基板の一端側表面に絶縁層から接続端子が露出形成されたものが接続の確実性や耐環境性の観点から用いられている。この配線基板を接続端子が露出したまま樹脂モールドするためには、モールド金型にてクランプする際に配線基板を片持ち支持して樹脂モールドする必要がある。
【０００３】
また、同様の用途においてコネクタにより外部接続可能な構成もあり、配線基板の端面から外側に突出して形成されたコネクタの周囲を樹脂モールドする際に、樹脂の漏れ出しと電子部品の破損を防ぐため、コネクタ専用のガイドブロックを用いてモールド金型によりクランプする樹脂モールド方法が提案されている（特許文献１）。
【先行技術文献】
【特許文献】
【０００４】
【特許文献１】特開２００６−１３０８４５号公報
【発明の概要】
【発明が解決しようとする課題】
【０００５】
上型と下型でワークを水平支持したままクランプする場合、成形品に金型分割ラインに相当する分割ラインが凸部として残ってしまう。この凸部は、接続端子側に凸面となって形成されるためこれを除去する必要が生じる場合がある。特に、製品仕様によっては型ずれが発生し、金型分割ラインに沿ってフラッシュバリが発生する。配線基板の接続端子が露出する端子面にモールド樹脂が付着するとこれを除去する必要がある。
また、一端側を水平方向に片持ち支持された配線基板の他端側両面を含んで樹脂モールドされるが、キャビティに充填される樹脂の充填バランスが基板両面で均一にならずに未充填になるおそれがある。
また、水平方向に片持ち支持された配線基板の場合、金型セット時にキャビティ内で倒れ込みが発生しやすく、成形品質が低下するおそれがある。
更には、配線基板がガラスエポキシ基板などの有機基板であると、平面精度や厚み精度にばらつきが大きく、接続端子露出面には、絶縁樹脂層と接続端子（金属層）とが交互に形成された凹凸面が存在する。この部分をモールド金型でクランプする場合、樹脂漏れを防ぐためクランプ力を強めると、絶縁樹脂層や接続端子に傷がつきやすくなり、樹脂漏れが発生しやすくなる。
【０００６】
本発明の目的は上記従来技術の課題を解決し、片持ち支持されたワークの両面を樹脂モールドする際に、成形品に金型分割ラインが残らずしかも樹脂の充填バランスがよく成形品質を向上させたモールド金型及びこれを用いて片持ち支持されたワークの倒れ込みを防いで成形品質並びに生産性を向上させることが可能な樹脂モールド方法を提供することにある。
【課題を解決するための手段】
【０００７】
本発明は上記目的を達成するため、次の構成を備える。
熱硬化性のモールド樹脂が供給されるポット及び前記モールド樹脂を圧送りするプランジャを含むトランスファ機構が設けられ、板状のワークにおける一端側を挟み込んで他端側を起立姿勢で支持する一方の金型と、前記ワークの他端を収容可能なキャビティ凹部が彫り込まれ、当該キャビティ凹部に前記ワークの両面側から連絡する複数の樹脂路が形成された他方の金型と、を具備し、前記ワークの一端側を片持ち支持したまま前記一方の金型と前記他方の金型をクランプして前記ポットに供給されたモールド樹脂を前記キャビティ凹部に収容された前記ワークを中心として対向位置から充填させて樹脂モールドされることを特徴とする。
上述したモールド金型を用いれば、ワークの一端側を起立姿勢で片持ち支持したまま金型をクランプしてポットに供給されたモールド樹脂をキャビティ凹部に収容されたワークを中心として対向位置から充填させて樹脂モールドされるので、モールド樹脂の充填バランスがよく、ワークのキャビティ内での倒れ込みは起こり難く、ワークの他端側を含んで形成される成形品に金型分割ラインが残らずに樹脂モールドすることができ、成形品質も向上する。
特に、前記キャビティ凹部に連絡する樹脂路は前記ワークが収容された前記キャビティ凹部の対向面に形成されていると、モールド樹脂の充填バランスがよく、片持ち支持されたワークが傾いたり変形したりするのを防ぐことができる。
【０００８】
前記一方の金型には、前記ワークにおける一端部を挟み込んで他端側を起立姿勢で支持する治具が、前記キャビティ凹部に対向するクランプ面に組み付けられてもよい。
この場合には、ワークの一端側を治具に挟み込んで他端側を起立姿勢で支持した状態で治具が一方の金型に組み付けられるので、ワークのモールド金型への搬入搬出が治具の着脱により確実に行えるうえに、金型内に搬入されるワークの起立姿勢が安定する。
【０００９】
前記他方の金型には、前記キャビティ凹部に起立姿勢で収容された前記ワークの他端を押さえる押さえピンが前記キャビティ凹部の底部から出没可能に設けられていることが好ましい。
これにより、モールド金型をクランプすると、キャビティ凹部の底部から押さえピンが突出してワークの他端を押さえるので、キャビティ内で片持ち支持されたワークの起立姿勢が安定し、モールド樹脂の充填が始まってもワークの倒れ込みが生じ難くなる。
【００１０】
前記押さえピンは、前記キャビティ凹部の底部より突出する向きに押さえピン付勢手段により付勢されており、前記キャビティ凹部にモールド樹脂の充填が完了する前に、前記押さえピン付勢手段の付勢力に抗して前記押さえピンを前記キャビティ凹部の底部と面一に退避させる押さえピン駆動機構を備えていることが望ましい。
これにより、キャビティ凹部にモールド樹脂が充填される前からモールド樹脂充填完了直前まで片持ち支持されたワークの自由端を押さえピンで押さえることで、キャビティ内でワークの倒れ込みが発生しなくなり、成形品質が安定する。
【００１１】
前記押さえピンは、モールド金型が型開きする際に前記押さえピン付勢手段の付勢力により成形品を押圧して他方の金型より離型させることが好ましい。
これにより、成形品を離型させるためのエジェクタピンを金型に設ける必要がなくなり金型構造が簡素化すると共に、ワークを起立姿勢で収容するキャビティ凹部の深さが深い成形品の離型が容易に行える。
【００１２】
前記他方の金型に設けられた前記キャビティ凹部にはエアーを排気若しくは給気するためのエアー給排路が接続され、当該エアー給排路の開口部を開閉する開閉ピンが進退可能に設けられていることが好ましい。
これにより、開閉ピンにより開口部を開口してキャビティ内からエアーを吸引して排気することでキャビティ内を減圧することができ、キャビティ内に圧縮空気を供給することで成形品を冷却して離型を促進することができる。
【００１３】
前記開閉ピンは、前記エアー給排路の開口部を開口する退避位置に退避するように開閉ピン付勢手段によって常時付勢されており、前記キャビティ凹部にモールド樹脂が充填される際に、前記開閉ピン付勢手段の付勢力に抗して前記開閉ピンを前記退避位置から前記キャビティ凹部の底部と面一となる突出位置までに突出させて前記開口部を閉止する開閉ピン駆動機構を備えていることが望ましい。
これにより、キャビティ凹部がモールド樹脂で満たされる直前までは開閉ピンを退避位置に配置して開口部を開口させてエアーを吸引して排気し続け、モールド樹脂の充填が完了すると開閉ピンを突出位置へ移動させて開口部を閉止して樹脂モールドすることができる。よって、成形品にボイドが発生し難くなり、成形品質を向上することができる。
【００１４】
前記開閉ピンは、型閉じ状態で前記キャビティ凹部にモールド樹脂が充填されるまでは、前記開口部を開口してエアーを吸引し続け、型開きする際に前記開口部を開口してエアーを圧入し続けることが好ましい。
これにより、キャビティ内にモールド樹脂が充填されるまでは、開口部を開口してエアーを吸引し続けることで、キャビティ内にエアーが閉じ込められることがなく成形品にボイドが発生することはなくなる。また、型開きする際にエアーをキャビティ内に圧入することで、成形品の離型を促進することができる。特に、成形品を離型させるための押さえピンの先端を冷却することもできるので離型し易くなる。
【００１５】
また、上述したいずれかのモールド金型を用いた樹脂モールド方法であって、板状のワークにおける一端側を挟み込んで他端側を一方の金型に起立姿勢で支持させる工程と、キャビティ凹部が形成された他方の金型と前記一方の金型をクランプすることで、前記ワークの他端側を前記キャビティ凹部に収容するように型閉じする工程と、前記モールド金型を型閉じする際に前記キャビティ凹部の開口孔よりエアーを吸引して排気し、モールド樹脂が充填される際に開口孔を閉止する工程と、前記キャビティ凹部に前記ワークを中心として対向位置からモールド樹脂を圧送りして充填する工程と、前記モールド樹脂を加熱硬化させて樹脂モールドする工程と、を含むことを特徴とする。
これにより、ワークの一端側を起立姿勢で片持ち支持した一方の金型とキャビティ凹部が形成された他方の金型とをクランプしてポットに供給されたモールド樹脂をキャビティ凹部に収容されたワークを中心として対向位置から充填して樹脂モールドされるので、モールド樹脂の充填バランスがよく、片持ち支持されたワークのキャビティ内での倒れ込みや変形は起こり難く、ワークの他端側を含んで形成される成形品に金型分割ラインが残らずに樹脂モールドすることができ、成形品質も向上する。
また、キャビティ凹部がモールド樹脂で満たされる直前までは開口部を開口させてエアーを吸引して排気し続け、モールド樹脂の充填が完了すると開口部を閉止して樹脂モールドするので、モールド樹脂に混入するエアーを排出して成形品にボイドが発生するのを抑え成形品質を向上させることができる。
【００１６】
前記モールド金型を型閉じする際に、起立姿勢で保持された前記ワークの自由端を前記キャビティ凹部の底部から突出させた押さえピンで押さえ、前記モールド樹脂が前記キャビティ凹部に充填される際に当該キャビティ凹部の底部と面一になる位置へ退避する工程を含むことが望ましい。
これにより、ワークをモールド金型でクランプしてからモールド樹脂を充填するまでワークの自由端を押さえピンで押さえることで、キャビティ内でワークの倒れ込みが発生しなくなり、成形品質が安定する。また、押さえピンは、モールド樹脂がキャビティ凹部に充填される際に当該キャビティ凹部の底部と面一になる位置へ退避するので、成形品に押さえピンの跡は残らない。
【００１７】
前記モールド金型を型開きする際に前記押さえピンを前記キャビティ凹部内に突出させて成形品を前記他方の金型から離型させる工程を含むことが好ましい。これにより、ワークを起立姿勢で収容するキャビティ凹部の深さが深い成形品の離型が金型構成を複雑にすることなく実現することができる。
【００１８】
前記モールド金型を型開きする際に前記開口孔を開口させて圧縮空気を送り込んで前記成形品の離型を促進する工程を含むことが好ましい。これにより、成形品の金型接触面を冷却して離型を促進することができる。特に、押さえピンによる離型を併用する場合には、押さえピンの先端を冷却することで成形品の離型を促進することができる。
【００１９】
前記ワークを起立姿勢で片持ち支持した治具を、型開きした前記一方の金型に前記キャビティ凹部に対向するクランプ面に組み付ける工程と、樹脂モールド後に型開きした前記一方の金型より成形品を前記治具とともに取り出す工程と、前記成形品を前記治具から分離して不要樹脂を除去する工程と、を備えることが望ましい。
これにより、ワークのモールド金型への搬入搬出が治具の着脱により確実に行えるうえに、金型内に搬入されたワークの起立姿勢が安定する。また、モールド金型から治具とともに成形品を取り出し、治具から成形品を取り出すことで、治具を分解清掃して再利用することができる。また、成形品から不要樹脂を容易に分離除去することができる。
【発明の効果】
【００２０】
上述したモールド金型を用いれば、片持ち支持されたワークの両面を樹脂モールドする際に、成形品に金型分割ラインが残らずしかも樹脂の充填バランスがよく成形品質を向上させることができる。また、このモールド金型を使用する樹脂モールド方法を用いれば、片持ち支持されたワークの倒れ込みを防いで成形品質並びに生産性を向上させることが可能となる。
【図面の簡単な説明】
【００２１】
【図１】ワークを治具にセットする工程を示す説明図である。
【図２】ワークがセットされた治具をクランプするモールド金型の平面配置を示す模式図及び上治具の平面図、垂直断面図及び水平断面図である。
【図３】ワークを治具と共にモールド金型に搬入される状態を示す図２の矢印Ａ−Ａ断面図及び図３（Ａ）の矢印Ｂ−Ｂ断面図である。
【図４】図３に続くワーク及び治具をモールド金型でクランプした状態を示す図２の矢印Ａ−Ａ断面図及び図３（Ｂ）の矢印Ｂ−Ｂ断面図である。
【図５】図４に続く樹脂モールド工程を示す図２の矢印Ａ−Ａ断面図及び図３（Ｂ）の矢印Ｂ−Ｂ断面図である。
【図６】図５に続く樹脂モールド工程を示す図２の矢印Ａ−Ａ断面図及び図３（Ｂ）の矢印Ｂ−Ｂ断面図である。
【図７】図６に続く樹脂モールド工程を示す図２の矢印Ａ−Ａ断面図及び図３（Ｂ）の矢印Ｂ−Ｂ断面図である。
【図８】図７に続く樹脂モールド工程を示す図２の矢印Ａ−Ａ断面図及び図３（Ｂ）の矢印Ｂ−Ｂ断面図である。
【図９】図８に続く成形品の離型工程を示す図２の矢印Ａ−Ａ断面図及び図３（Ｂ）の矢印Ｂ−Ｂ断面図である。
【図１０】図９に続く成形品の離型工程を示す図２の矢印Ａ−Ａ断面図及び図３（Ｂ）の矢印Ｂ−Ｂ断面図である。
【図１１】図１０に続く成形品の離型工程を示す図２の矢印Ａ−Ａ断面図及び図３（Ｂ）の矢印Ｂ−Ｂ断面図である。
【図１２】図１１に続く成形品の後処理工程を示す説明図である。
【図１３】成形品の斜視図である。
【図１４】ワークを起立姿勢で支持する治具の他例を示す分解斜視説明図である。
【図１５】ワークを起立姿勢で支持する治具の他例を示す分解斜視説明図である。
【図１６】ワークを起立姿勢で支持する治具の斜視図である。
【図１７】ワークを起立姿勢で支持する治具の他例を示す斜視図である。
【発明を実施するための形態】
【００２２】
以下、本発明に係るモールド金型及びこれを用いた樹脂モールド方法の好適な実施の形態について添付図面と共に詳述する。以下では、ワークとして有機基板に配線パターンが形成された配線基板を用いるものとする。また、モールド金型は、一例として、下型を可動型、上型を固定型として説明するものとする。また、上型及び下型は、インサートブロックの構成を中心に説明するものとし、インサートを着脱可能に収納するチェイスブロックの構成は、省略してあるものとする。
【００２３】
配線基板１は、例えば図１に示すように矩形板状をした有機基板にＥＣＵを形成する電子部品１ａ（ＭＰＵ、ＳＲＡＭ、パワー・トランジスタ等）が搭載されたものが用いられる。図１（Ａ）に示すように、配線基板１には、絶縁層から接続端子１ｂが複数本並列に露出形成された端子部が設けられている。
【００２４】
この配線基板１を、接続端子１ｂ側から上治具３のスリット３ａを挿通させることで、上治具３に配線基板１が組み付けられる。上治具３には配線基板１を挿通するスリット３ａと、後述する下治具２の一部を収容する爪収容部３ｂが設けられている。スリット３ａ及び爪収容部３ｂは、配線基板１の数に対応して複数箇所（例えば３カ所）に設けられている。また、配線基板１の接続端子１ｂ側には、当該接続端子１ｂを挿通可能なスリット２ｆが形成されたプレート２ｇと、環状のシール材２ｅ（耐熱弾性体；シリコンゴム等）とがそれぞれの貫通孔に接続端子１ｂを挿通させることで組み付けられる。これらを配線基板１に組み付けた状態を図１（Ｃ）（Ｄ）に示す。
【００２５】
下治具本体２ａには、複数箇所に一対の開閉爪２ｂが支点２ｃを中心に各々開閉可能に設けられている。また、下治具本体２ａの開閉爪２ｂどうしの間には、貫通孔２ｄが設けられていてもよい。例えば、貫通孔２ｄへ突起などのアクチュエータを挿入することにより、一対の開閉爪２ｂを支点２ｃを中心として各々両側へ開放させることができる。図１（Ｅ）（Ｆ）に示すように、配線基板１は、一端側に露出形成された接続端子１ｂ側を一対の開閉爪２ｂに噛み込ませて支持され、環状のシール材２ｅ（耐熱弾性体；シリコンゴム等）を介して配線基板１を挿通するスリット２ｆが形成されたプレート２ｇを一対の開閉爪２ｂに各々重ね合わせて起立姿勢で支持される。
【００２６】
次にモールド金型の構成について図２及び図３を参照して説明する。
下型５（一方の金型）は、モールド樹脂が供給されるポット６及びモールド樹脂を圧送りするプランジャ７を含むトランスファ機構が設けられている。トランスファ機構は、駆動源（サーボモータ）を起動してポット６内をプランジャ７が昇降することができるようになっている。また、ワーク（配線基板１）の一端側を挟み込んで支持する治具４が組み付けられる治具セット部（凹部）８が設けられている。治具４は、ワーク（配線基板１）を起立姿勢に支持したまま治具セット部８に供給されて組み付けられる。
【００２７】
上型９（他方の金型）は、上型キャビティブロック１０及び上型ブロック１１が積層されている。上型キャビティブロック１０には、治具４に起立姿勢で支持されたワーク（配線基板１）の他端（自由端）を収容するキャビティ凹部１０ａが複数箇所に彫り込まれている。
また、図２（Ａ）及び図３（Ａ）に示すように上型キャビティブロック１０には、ポット６に対向して上型カル１０ｂ、上型ランナゲート１０ｃがキャビティ凹部１０ａに接続するように彫り込まれている。上型ランナゲート１０ｃは、キャビティ凹部１０ａに収容されるワーク（配線基板１）の両面側から接続するようになっている（図３（Ｂ）参照）。ゲート位置は、特に限定されるものではないが、配線基板１を収容したモールド樹脂の充填バランスを考慮すると、各キャビティ凹部１０ａの対向位置に設けることが望ましい。即ち、配線基板１を中心として対向位置にゲートを設けることで、モールド樹脂の注入圧力による配線基板１の撓みや変形を効果的に抑えることができる。また、各キャビティ凹部１０ａにおいて成形品の厚みを構成する辺（短辺）において対向位置にゲートを位置させることもできる。この場合、この辺における中央にゲートを位置させるのが好ましい。また、同図に示すようにキャビティにモールド樹脂が充填されるまでに移動する距離（換言すればランナの長さ）を均一にすることで充填バランスをさらに向上させることができる。ただし、ゲート位置やゲート数は、ワークの構成などに応じて任意の位置に配置でき、ゲート数は、ワーク（配線基板１）の両面側で対向位置に複数箇所に設けてもよい。
【００２８】
このように、ワーク（配線基板１）の一端側を片持ち支持した治具４をモールド金型でクランプして、ポット６に供給されたモールド樹脂１２を、上型カル１０ｂ、上型ランナゲート１０ｃを通じてキャビティ凹部１０ａに収容されたワーク（配線基板１）の両面側へ充填することで樹脂モールドされる。
これにより、モールド樹脂１２の充填バランスがよく、ワークのキャビティ内での倒れ込みや変形は起こり難く、ワークの他端側を含んで形成される成形品に金型分割ラインが残らずに樹脂モールドすることができ、成形品質も向上する。
【００２９】
また、図３（Ａ）に示すように、上型９にはキャビティ凹部１０ａに起立姿勢で収容されたワーク（配線基板１）の他端（自由端）を押さえる押さえピン１３がキャビティ凹部１０ａの底部から出没可能に設けられている。これにより、モールド金型をクランプすると、キャビティ凹部１０の底部から押さえピン１３が突出してワーク（配線基板１）の自由端を押さえるので、ワークの起立姿勢が安定し、モールド樹脂１１の充填が始まってもワークの倒れ込みや変形が生じ難くなる。押さえピン１３は上型ブロック１１に設けられた押さえピンプレート１４に支持されている。押さえピンプレート１４には、駆動ピン１５が隙間を設けて連繋している。駆動ピン１５は図示しない駆動手段（シリンダ、ソレノイド、モータなど）によって昇降するようになっている（押さえピン駆動機構）。
【００３０】
また、押さえピンプレート１４には、バックプレート１６が重ねて設けられている。バックプレート１６と上型ブロック１１との間にはコイルばね１７（押さえピン付勢手段）が弾挿されている。このコイルばね１７によりバックプレート１６及び押さえピンプレート１４は常時下方に付勢されており、押さえピン１３はキャビティ凹部１０ａの底部より突出する向きに常時付勢されている。このとき、駆動ピン１５は、押さえピンプレート１４と隙間を設けて連繋した状態にある。このように、押さえピン１３を付勢して配置することによってたとえ配線基板１の高さがばらついたとしても配線基板１を押さえたときに過剰に加圧し座屈させてしまうことはない。なお、配線基板１の自由端における板厚分を挿入可能な先端が断面凹状に形成された押さえピンを用いてもよい。この場合には、押さえピンを付勢する必要がなく、構成も簡素化できる。
【００３１】
後述するように、押さえピン１３は、キャビティ凹部１０ａにモールド樹脂１１が充填される際に、コイルばね１７の付勢力に抗して図示しない押さえピン駆動機構を作動させてキャビティ凹部１０ａの底部と面一に退避させられる。
また、押さえピン１３は、モールド金型が型開きする際に、駆動ピン１５で付勢することにより成形品を押圧して離型させるようになっている。
これにより、成形品を離型させるためのエジェクタピンを別途金型に設ける必要がなくなり金型構造が簡素化すると共に、ワークを起立姿勢で収容するキャビティ凹部１０ａの深さが深い成形品の離型が容易に行える。
【００３２】
また、図３（Ｂ）に示すように、上型キャビティブロック１０には、キャビティ凹部１０ａにエアーを排出若しくは供給するためのエアー給排路１０ｄが形成されている。各キャビティ凹部１０ａの底部には、エアー給排路１０ｄに接続する開口部１０ｅが各々設けられている。これらの開口部１０ｅを各々開閉する開閉ピン１８が上型ブロック１１に進退可能に設けられている。
これらの開閉ピン１８により各開口部１０ｅを開閉することで開口部１０ｅへのモールド樹脂の進入を防止しながらキャビティ内からエアーを吸引することでキャビティ内を減圧することができ、キャビティ内にエアーを圧入することで成形品の表面と型面とを分離すると共に成形品を冷却させ収縮させることにより、離型を容易にすることができる。
【００３３】
複数の開閉ピン１８は、上型ブロック１１内に設けられた開閉ピンプレート１９に吊り下げ支持されている。開閉ピンプレート１９と上型ブロック１１との間にはコイルばね２０（開閉ピン付勢手段）が弾挿されている。複数の開閉ピン１８は、コイルばね２０によってエアー給排路１０ｄに接続する開口部１０ｅを開口する退避位置に退避するように常時付勢されている（図３（Ａ）参照）。
【００３４】
図３（Ａ）に示すように、開閉ピンプレート１９には、複数の駆動ピン２１が連結されている。各駆動ピン２１は、図示しない駆動手段（シリンダ、ソレノイド、モータなど）によって昇降するようになっている（開閉ピン駆動機構）。
キャビティ凹部１０ａにモールド樹脂１２が充填される際に、図示しない開閉ピン駆動機構を作動させて駆動ピン２１がコイルばね２０の付勢力に抗して開閉ピンプレート１９を押し下げて、開閉ピン１８を退避位置からキャビティ凹部１０ａの底部と面一となる突出位置までに突出させて開口部１０ｅを閉止するようになっている。
これにより、キャビティ凹部１０ａがモールド樹脂１２で満たされる直前までは開閉ピン１８を退避位置に配置して開口部１０ｅを開口させてエアーを吸引して排気し続け、モールド樹脂１２の充填が完了すると開閉ピン１８を突出位置へ移動させて開口部１０ｅを閉止して樹脂モールドすることができる。
【００３５】
開閉ピン１８は、型閉じ状態でキャビティ凹部１０ａにモールド樹脂１２が充填されるまでは、開口部１０ｅを開口してエアーを吸引し続け、型開きする際にも開口部１０ｅを開口してエアーを圧入する。
これにより、キャビティ凹部１０ａにモールド樹脂１２が充填されるまでは、開口部１０ｅを開口してエアーを吸引することで、キャビティ凹部１０ａ内にエアーが閉じ込められることがなく成形品にボイドが発生することはなくなる。また、型開きする際にエアーをキャビティ凹部１０ａ内に圧入することで、成形品の離型を促進することができる。特に、成形品を離型させるための押さえピン１３を併用する場合には、押さえピン１３によって機械的に離型された成形品と型面との隙間にエアーを圧入することで離型し易くすることができる。
【００３６】
次に、上述したモールド金型を用いた樹脂モールド方法について図１及び図３乃至図１３を参照して説明する。
まず、図１（Ａ）〜（Ｄ）に示すように、配線基板１を接続端子１ｂが形成された矩形状の一端側（露出端側）から、上治具３のスリット３ａに挿通することで、３つの配線基板１が上治具３にセットされる。また、上治具３の３つの爪収容部３ｂに収容される接続端子１ｂに各々プレート２ｇとシール材２ｅを順に貫通させて組み合わせて収容する（図１（Ｃ）（Ｄ）参照）。この後、治具本体２ａ上に設けられた一対の開閉爪２ｂの間に各々挿入する。これにより、配線基板１の一端側を開放状態にあった一対の開閉爪２ｂに噛み込ませ、一対の開閉爪２ｂとプレート２ｇとで環状シール材２ｅを挟み込むことで樹脂漏れを防ぐようになっている。この場合、一対の開閉爪２ｂとプレート２ｇとで環状シール材２ｅを挟み込んで押し潰すことで接続端子１ｂや絶縁層１ｃにおける段差に押し付けて隙間を無くすことで、接続端子１ｂ側への樹脂漏れを防止している。なお、同図に示すように一対の開閉爪２ｂが開閉する開閉面の先端側に互いに交差する傾斜面を設けることで環状シール材２ｅを挟み込んだときに接続端子１ｂや絶縁層１ｃに押し付けることもできる。また、開閉爪２ｂには閉止状態で配線基板１の接続端子１ｂ側を覆うことができるように上面視で凹形状の弾性体（例えばフッ素樹脂やシリコーン樹脂やエンジニアリングプラスチック）を挟み込む構成としてもよい。これによれば、配線基板１において接続端子１ｂによって形成される段差を潰すように変形し接続端子１ｂの成形面における樹脂漏れによる接触不良の発生を防止することができる。
【００３７】
このように一対の開閉爪２ｂとプレート２ｇとで環状シール材２ｅを挟み込むように重ね合わせて組み付けることで、複数の配線基板１を上治具３と下治具２とで各々起立姿勢で樹脂漏れ防止可能な状態で片持ち支持する（図１（Ｅ）（Ｆ）参照）。これにより、上治具３の上面がキャビティに臨むようにクランプされるため、起立姿勢で片持ち支持された配線基板１の接続端子１ｂ側の端部に沿って漏れ出すおそれがある樹脂漏れの発生を防止している。即ち、キャビティに向けられる面を構成する上治具３が分割されず一体に形成されるため上述したような樹脂漏れを防止可能となる。
【００３８】
次に図３（Ａ）（Ｂ）に示すように、配線基板１を支持した治具４を型開きした下型５の治具セット部８に組み付ける。また、ポット６にはモールド樹脂１２（図４（Ａ）参照；例えばタブレット状樹脂、顆粒状樹脂、粉状樹脂、液状樹脂等）が供給される。
【００３９】
次に図４（Ａ）（Ｂ）に示すように、下型５にセットされた配線基板１（ワーク）及び治具４を、キャビティ凹部１０ａが形成された上型９とでクランプする。可動型である下型５が上昇して、上型９とで治具４をクランプする。このとき、治具４から起立姿勢で露出した配線基板１（ワーク）の他端側（自由端側）がキャビティ凹部１０ａに収容される。また、押さえピン１３は、コイルばね１７の付勢により、キャビティ凹部１０ａの底部より突出した位置にある。よって、図４（Ａ）に示すように、上型９と下型５が型閉じすると、押さえピン１３は配線基板１の自由端に押し当てられて起立姿勢を保持する。尚、押さえピン１３はコイルばね１７を介して配線基板１の端面に弾性的に押し当てられるため、配線基板１への押圧が強まるとコイルばね１７が撓むことで配線基板１が座屈するのを防いでいる。
【００４０】
また、図４（Ｂ）に示すように、開閉ピン１８は退避位置にあり、キャビティ凹部１０ａに接続するエアー給排路１０ｄの開口部１０ｅは開口した状態にある。モールド金型が型閉じする前後或いは同時でもよいが、図示しないエアー吸排機構によりエアーの吸引を開始し、型閉じするとキャビティ内を減圧することが好ましい。
【００４１】
図５（Ａ）（Ｂ）において、トランスファ機構が作動してプランジャ７が上昇してポット６内で溶融したモールド樹脂１２を上型カル１０ｂ（図５（Ａ）参照）、上型ランナゲート１０ｃ（図５（Ｂ）参照）を通じて各キャビティ凹部１０ａへ圧送りする。モールド樹脂１２は、キャビティ凹部１０ａに対向配置された上型ランナゲート１０ｃより、配線基板１の両面側に充填され始める。尚、図示しないエアー吸排機構によりキャビティ内の減圧は継続している。
【００４２】
図６（Ａ）（Ｂ）は、図５（Ａ）（Ｂ）に続いてモールド樹脂１２がキャビティ内に途中まで充填された状態を示す。配線基板１（ワーク）の自由端が押さえピン１３に押さえられ、図示しないエアー吸排機構によりキャビティ内の減圧は継続したままモールド樹脂１２の充填が継続して行われる。同図に示すように、モールド樹脂１２は、キャビティ凹部１０ａに対向配置された上型ランナゲート１０ｃより、配線基板１の両面側にバランスよく充填される。例えば一方側の面だけからモールド樹脂が充填されるような構成を想定すると、配線基板１の一方の面にのみモールド樹脂による樹脂圧が加わるため他方側に押し倒されてしまうおそれがある。これに対して、配線基板１の両面側にモールド樹脂１２がバランスよく充填され配線基板１の両面側で樹脂圧を均衡させることで、配線基板１の倒れこみを防止することができる。
【００４３】
図７（Ａ）（Ｂ）は、図６（Ａ）（Ｂ）に続いてモールド樹脂１２がキャビティ凹部１０ａの底部近傍まで充填された状態を示す。モールド樹脂１２がキャビティ凹部１０ａの底部に到達する前に、図示しない押さえピン駆動機構を作動させて駆動ピン１５を引き上げてバックプレート１６に係止したまま当該バックプレート１６と一体に重ね合わせた押さえピンプレート１４をコイルばね１７の付勢力に抗して上方に引き上げて、押さえピン１３をキャビティ凹部１０ａの底部と面一となるまで退避させる。また、図示しない開閉ピン駆動機構を作動させて駆動ピン２１を押し下げて開閉ピンプレート１９をコイルばね２０の付勢力に抗して押し下げて開閉ピン１８を退避位置からキャビティ凹部１０ａの底部と面一となる突出位置までに突出させて開口部１０ｅを閉止し、エアー給排出路１０ｄを通じたエアー吸引動作を停止する。
【００４４】
次に図８（Ａ）（Ｂ）は図７（Ａ）（Ｂ）に続いてモールド樹脂１２がキャビティ内に充填された状態を示す。押さえピン１３はコイルばね１７の付勢力に抗してキャビティ凹部１０ａの底部と面一となるまで退避させた状態で、開閉ピン１８を退避位置からキャビティ凹部１０ａの底部と面一となる突出位置までに突出させた状態で開口部１０ｅを閉止したまま、キャビティ内でモールド樹脂１２を加熱硬化させる。
【００４５】
これにより、配線基板１（ワーク）を治具４を用いて起立姿勢で片持ち支持したままモールド金型を型閉じしてポット６に供給されたモールド樹脂１２をキャビティ凹部１０ａに収容された配線基板１（ワーク）の両面側へ充填して樹脂モールドされるので、モールド樹脂１２の充填バランスがよく、配線基板１（ワーク）のキャビティ内での倒れ込みや変形は起こり難く、配線基板１（ワーク）の自由端側含んで形成される成形品に金型分割ラインが残らずに樹脂モールドすることができ、成形品質も向上する。また、キャビティ凹部１０ａがモールド樹脂１２で満たされる直前までは開口部１０ｅを開口させてエアーを吸引して排気し続け、モールド樹脂１２の充填が完了するまでに開口部１０ｅを閉止して樹脂モールドするので、モールド樹脂１２に混入するエアーを排出してボイドの発生を抑え成形品質を向上させることができる。
【００４６】
図９（Ａ）（Ｂ）は図８（Ａ）（Ｂ）に続いて樹脂モールド後の成形品の離型工程を開始した状態を示す。図示しない押さえピン駆動機構による駆動ピン１５による引き上げ動作を反転し押し下げ動作させることによって、バックプレート１６及び押さえピンプレート１４を介して押さえピン１３をキャビティ凹部１０ａの底部より成形品に向かって突き出すように付勢する。また、図示しない開閉ピン駆動機構による駆動ピン２１の押し下げを停止し、コイルばね２０の弾性力によって開閉ピンプレート１９を押し上げ、開閉ピン１８を突出位置から退避位置へ退避させて開口部１０ｅを開口し、図示しないエアー吸排装置によりエアー吸排路１０ｄを通じて圧縮エアーを送り込み各キャビティ凹部１０ａに接続する開口部１０ｅから噴出させる。
【００４７】
図１０（Ａ）（Ｂ）は図９（Ａ）（Ｂ）に続いてモールド金型の型開きを続行し、成形品の離型動作が進行した状態を示す。下型５が下降して上型９との型開きが進むと、成形品２２をコイルばね１７に付勢された押さえピン１３が押し下げ、かつ開口部１０ｅより圧縮エアーが噴出するため、成形品２２がキャビティ凹部１０ａより離型する。この圧縮エアーの吹き出しにより、成形品の表面と型面との間に進入してこれらを分離させると共に成形品２２の表面温度を低下させて収縮させ、さらにエアーによる加圧によって成形品２２の離型が促進される。これにより、配線基板１（ワーク）を起立姿勢で収容するキャビティ凹部１０ａの深さが深い成形品２２の離型動作を金型構成が複雑にならずに実現することができる。
【００４８】
図１１（Ａ）（Ｂ）は図１０（Ａ）（Ｂ）に続いてモールド金型の型開きが完了し、成形品２２がモールド金型より取り出された状態を示す。型開きした下型５の治具セット部８より、治具４及び成形品２２を取り外す。
【００４９】
ここで、成形品２２を治具４から分離し不要樹脂２３を除去する工程について、図１２（Ａ）〜（Ｆ）に示す。下型５から取りだされた成形品２２及び治具４を図１２（Ａ）（Ｂ）に示す。成形品２２には不要樹脂２３が一体となって取り出される。
【００５０】
次いで、図１２（Ｃ）（Ｄ）に示すように、成形品２２及び不要樹脂２３が一体となった上治具３から下治具４を分離する。具体的には、下治具本体２ａの貫通孔２ｄから図示しないアクチュエータを進入させて、一対の開閉爪２ｂを各々支点２ｃを中心として両側へ開くようにわずかに回転させ、配線基板１の一端側の噛み込みを解除する。これにより、配線基板１の一端側が開放されるため、下治具２より配線基板１が上治具３とともに取り外すことができる。
【００５１】
次に、図１２（Ｅ）（Ｆ）に示すように、上治具３のスリット３ａより配線基板１を引き抜いて分離する。上治具３には成形品２２どうしを連結する不要樹脂２３（成形品カル、成形品ランナゲート）も一体に貼り付いているが、配線基板１を上方に引き抜くことで成形品２２とともに不要樹脂２３も上治具３から分離することができる。なお、分離されたプレート２ｇ、環状シール材２ｅ及び上治具３は各々クリーニングした後で再利用することができる。
【００５２】
最後に、成形品２２どうしを連結する不要樹脂２３をゲートブレイクして除去することにより、図１３に示す成形品２２が得られる。成形品２２は、樹脂モールド部２２ａとそこから露出する接続端子１ｂが形成された基板部２２ｂを有している。基板部２２ｂには、絶縁層１ｃより接続端子１ｂが並列に露出形成されている。樹脂モールド部２２ａは、キャビティに収容された配線基板１の両面側からモールド樹脂が充填されており、金型分割ラインが形成されないため、成形品質が向上する。
【００５３】
以上説明した樹脂モールド方法を用いると、キャビティ内へのモールド樹脂の充填バランスがよく、片持ち支持されたワークのキャビティ内での倒れ込みや変形は起こり難く、ワークの自由端側を含んで形成される樹脂モールド部２２ａに金型分割ラインが残らずに樹脂モールドすることができ、成形品質も向上する。また、キャビティ凹部１０ａがモールド樹脂１２で満たされる直前までは開口部１０ｅを開口させてエアーを吸引して排気し続け、モールド樹脂１２の充填が完了するまでに開口部１０ｅを閉止して樹脂モールドするので、モールド樹脂１２に混入するエアーを排出してボイドの発生を抑え成形品質を向上させることができる。
【００５４】
上述した実施例で用いる治具４は、上治具３と下治具２を用い、ワークを起立姿勢で保持するため一対の開閉爪２ｂを用いていたが、治具はキャビティに臨む面が一体に形成されていればこれらの構成に限定されるものではない。
【００５５】
例えば図１４及び図１５に示すように、他例としての治具２４は、上面が開放され下面の中央部が開口した収納部２４ｂを有する治具本体２４ａ、ワーク（配線基板１）の一端を噛み込むスリット２４ｃを有し、分割された割面がシート状の弾性体２４ｄで覆われた割型２４ｅ、配線基板１を挿通するスリット２４ｆが設けられ、外周側に段付き部２４ｇが設けられた中蓋２４ｈ、治具本体２４ａに重ね合わされ、中空枠体状をした中孔周縁部に中蓋２４ｈの段付き部２４ｇと噛み合う段付き部２４ｉが設けられた上蓋２４ｊを備えていてもよい。
【００５６】
配線基板１の接続端子１ｂが露出形成された一端側を、中蓋２４ｈのスリット２４ｆを挿通して割型２４ｅに重ね合わせ、割型２４ｅのスリット２４ｃに挿入したままこれらを治具本体２４ａの収納部２４ｂに嵌め込む。割型２４ｅの外周面はテーパー状の傾斜が設けられた傾斜面２４ｅ１が形成されており、これを収納する収納部２４ｂにも同様の傾斜面が設けられている。よって、割型２４を治具本体２４ａに収納すると、割型２４ｅの割幅が狭まりスリット２４ｃも狭まるため配線基板１の一端側が弾性体２４ｄを介してシールされたまま起立姿勢で保持される。最後に配線基板１の他端側を上蓋２４ｊの中空孔を挿通して段付き部２４ｉを中蓋２４ｈの段付き部２４ｇと噛み合うように治具本体２４ａに重ね合わせて起立姿勢で保持される。配線基板１を起立姿勢で治具２４に保持した状態を図１６に示す。矩形状の配線基板１は、接続端子１ｂが形成された一端側は治具２４に挟み込まれており、電子部品１ａが搭載された他端側（自由端側）のみが治具２４より露出して起立姿勢で保持されている。なお、治具２４保持される配線基板１は２つ以上であってもよく、この場合には上蓋２４ｊと治具本体２４ａが接続された構成とすることで一括して取扱うことができる。
【００５７】
また、治具２４の変形例としての治具２５は、ワーク（配線基板１）の態様に応じた挟み込み構造を備えていてもよい。たとえば、図１７に示すように、矩形状の配線基板１の一端側に複数の接続端子部１ｂ１，１ｂ２が分割されて形成されている場合には、割型２４ｅに替えて割型２５ａを用いることができる。この場合には、配線基板１の表面側と裏面側との２面に向けられるように２つに分割された割型２５ａの分割された割面に向かい合わせるように凹部が形成されている。また、割型２５ａには分割面を含んで弾性体２５ｃが貼り付けられて形成される。弾性体２５ｃは、接続端子部１ｂ１，１ｂ２間の空間の位置に合わせて突起部２５ｄが形成されている。これにより、配線基板１の一端側に形成された接続端子部１ｂ１，１ｂ２の間に突起部２５ｄを挿入して隙間を埋めることでモールド樹脂がこの隙間から漏出するのを確実に防止することができる。
【００５８】
上記モールド金型は、上型９が固定型、下型５が可動型として説明したが、上型９が可動型、下型５が固定型であってもよく、双方が可動型であってもよい。また、キャビティ凹部１０ａは、上型９に設けられているものとして説明したが、下型５に設けてもよい。また、押さえピン１３と開閉ピン１８とを別途設ける構成について説明したが、１つのピンを押さえピン１３と開閉ピン１８として併用してもよい。
【００５９】
また、樹脂圧によって配線基板１が倒れてしまうのを防止するために配線基板１を中心としたときにキャビティ凹部１０ａの対向する辺において対向位置に設ける例について説明したが、樹脂圧によって配線基板１が押し倒されるのを防止できるような他の構成を採用することもできる。例えば、成形品の厚みを構成する辺において配線基板１を挟む一対の角部にゲート位置を設けてもよい。このような構成でも、配線基板１に対しては、厚み方向における両側から同等の樹脂圧が加えられるため、樹脂圧によって配線基板１が倒れ込みを防止することができる。
【００６０】
また、１つのキャビティ凹部１０ａで１つの配線基板１を樹脂モールドする例について説明したが、１つのキャビティ凹部１０ａに複数の配線基板１を収容して一括して樹脂モールドするような構成としてもよい。この場合、複数の配線基板１を含む成形品として用いてもよい。また、樹脂モールドされた成形品を配線基板１ごとに分割するようにモールド樹脂を切断することで１回の樹脂モールドで多数の成形品を製造することができる。また、これによれば抜き勾配のない成形品を製造することができるため、成形品を薄型化でき、さらに成形品を重ねて使用することも容易となる。
【００６１】
また、下治具２及び上治具３を主体として構成される治具を用いて配線基板１を挟み込んで他端側を起立姿勢で支持し、配線基板１を片持ち支持した治具を型開きした下型５に組み付ける構成例について説明したが、これ以外の構成でもよい。即ち、配線基板１を起立姿勢で支持可能な構成を有する下型５を用いることもできる。この場合、配線基板１における接続端子１ｂ側を挿入可能な貫通孔が形成された板部材の下方に樹脂漏れ防止用のシール材や配線基板１保持用の開閉部材などを配置することで樹脂漏れ防止を図りながら配線基板１を下型５に起立姿勢で支持することができる。以上説明したモールド金型の構成によれば、成形後に下型５をクリーニングするための構成が複雑となりやすいが、モールド前後の治具を用いた処理が不要となるため、装置全体としては簡易な構成とすることができる。
【符号の説明】
【００６２】
１  配線基板  １ａ  電子部品  １ｂ  接続端子１ｂａ，１ｂ２  接続端子部  １ｃ  絶縁層  ２  下治具  ２ａ  下治具本体  ２ｂ  開閉爪  ２ｃ  支点  ２ｄ  貫通孔  ２ｅ  シール材  ２ｇ  プレート  ２ｆ，３ａ  スリット  ３  上治具  ３ｂ  爪収容部  ４，２４，２５  治具  ５  下型  ６  ポット  ７  プランジャ  ８  治具セット部  ９  上型  １０  上型キャビティブロック  １０ａ  キャビティ凹部  １０ｂ  上型カル  １０ｃ  上型ランナゲート  １０ｄ  エアー給排路  １０ｅ  開口部  １１  上型ブロック  １２  モールド樹脂  １３  押さえピン  １４  押さえピンプレート  １５，２１  駆動ピン  １６  バックプレート  １７，２０  コイルばね  １８  開閉ピン  １９  開閉ピンプレート  ２２  成形品  ２２ａ  樹脂モールド部  ２２ｂ  基板部  ２３  不要樹脂  ２４ａ  治具本体  ２４ｂ  収納部  ２４ｃ，２４ｆ，２５ｃ スリット  ２４ｄ，２５ｄ  弾性体  ２４ｅ，２５ａ  割型  ２４ｅ１  傾斜面  ２４ｇ，２４ｉ  段付き部  ２４ｈ  中蓋  ２４ｊ  上蓋
【図１】
2015139969.tif 000003
【図２】
2015139969.tif 000004
【図３】
2015139969.tif 000005
【図４】
2015139969.tif 000006
【図５】
2015139969.tif 000007
【図６】
2015139969.tif 000008
【図７】
2015139969.tif 000009
【図８】
2015139969.tif 000010
【図９】
2015139969.tif 000011
【図１０】
2015139969.tif 000012
【図１１】
2015139969.tif 000013
【図１２】
2015139969.tif 000014
【図１３】
2015139969.tif 000015
【図１４】
2015139969.tif 000016
【図１５】
2015139969.tif 000017
【図１６】
2015139969.tif 000018
【図１７】
2015139969.tif 000019